(57)【要約】      （修正有）【課題】使用者が操作入力装置を持っている手の親指でタッチパネルを操作する際の誤操作を抑制することが可能な操作入力装置及び操作入力方法を提供する。【解決手段】操作態様判別部は、使用者による操作態様が、タッチパネルを右親指で操作する右親指操作態様か、左親指で操作する左親指操作態様かを判別する。操作態様が右親指操作態様であると判定されるときにはＳ３Ｙｅｓ、スクロールバーを表示対象の左側に表示しＳ４、操作態様が左親指操作態様であると判定されるときはＳ５Ｙｅｓ、スクロールバーを表示対象の右側に表示するＳ６。【選択図】図５
2017097393.tif 000002
【特許請求の範囲】
【請求項１】
表示部と、
前記表示部上に設けられたタッチパネルと、
表示対象とスクロールバーとを前記表示部に表示し、前記タッチパネルを介した前記スクロールバーに対するタッチ操作に応じて前記表示対象の表示範囲を移動させる表示制御部と、
使用者による操作態様が、前記タッチパネルを右親指で操作する右親指操作態様か、前記タッチパネルを左親指で操作する左親指操作態様かを判別する操作態様判別部と、
を備え、
前記表示制御部は、前記操作態様判別部によって前記操作態様が前記右親指操作態様であると判定されるときには前記スクロールバーを前記表示対象の左側に表示し、前記操作態様判別部によって前記操作態様が前記左親指操作態様であると判定されるときは前記スクロールバーを前記表示対象の右側に表示する、
操作入力装置。
【請求項２】
前記操作態様判別部は、使用者による前記操作入力装置の操作状況に応じて前記操作態様を自動的に判別する請求項１に記載の操作入力装置。
【請求項３】
前記タッチパネルは、タッチ範囲を検出可能であり、
前記操作態様判別部は、前記タッチパネルによって検出されるタッチ範囲の形状に基づいて前記操作態様を自動的に判別する請求項２に記載の操作入力装置。
【請求項４】
前記操作態様判別部は、前記タッチパネルによって検出されるタッチ位置の軌跡に基づいて前記操作態様を自動的に判別する請求項２に記載の操作入力装置。
【請求項５】
前記操作入力装置の傾きを検出する傾き検出部を更に備え、
前記操作態様判別部は、前記傾き検出部によって検出される前記操作入力装置の傾きに基づいて前記操作態様を自動的に判別する請求項２に記載の操作入力装置。
【請求項６】
前記右親指操作態様又は前記左親指操作態様のいずれかを選択する選択操作を受け付ける操作態様設定部を更に備え、
前記操作態様判別部は、前記選択操作に基づいて前記操作態様を判別する請求項１に記載の操作入力装置。
【請求項７】
前記表示制御部は、前記表示対象上でのスクロール操作に応じて前記表示対象の表示範囲を移動させる請求項１〜６のいずれかに記載の操作入力装置。
【請求項８】
表示対象とスクロールバーとを表示部に表示し、前記表示部上に設けられたタッチパネルを介した前記スクロールバーに対するタッチ操作に応じて前記表示対象の表示範囲を移動させる表示制御ステップと、
使用者による操作態様が、前記タッチパネルを右親指で操作する右親指操作態様か、前記タッチパネルを左親指で操作する左親指操作態様かを判別する操作態様判別ステップと、
を備え、
前記表示制御ステップでは、前記操作態様判別ステップにおいて前記操作態様が前記右親指操作態様であると判定されるときには前記スクロールバーを前記表示対象の左側に表示し、前記操作態様判別ステップにおいて前記操作態様が前記左親指操作態様であると判定されるときは前記スクロールバーを前記表示対象の右側に表示する、
操作入力方法。
【発明の詳細な説明】
【技術分野】
【０００１】
本発明は、表示部とタッチパネルとを備える操作入力装置及びその操作入力方法に関する。
【背景技術】
【０００２】
表示部と当該表示部上に設けられたタッチパネルとを備える操作入力装置には、使用者が、操作入力装置を持っている手の親指を使ってタッチパネルを操作することが可能なものが存在する。
【０００３】
また、表示部にスクロールバーが表示され、スクロールバーがタッチされることによって表示内容が変化するスクロールバー操作装置も知られている（例えば、特許文献１参照）。
【先行技術文献】
【特許文献】
【０００４】
【特許文献１】特開２００４−１３９３２１号公報
【発明の概要】
【発明が解決しようとする課題】
【０００５】
しかしながら、操作入力装置を持っている手の親指を使ってタッチパネルを操作する場合には、親指の指先だけでなく、より付け根側の部分までもがタッチパネルに接触してしまうことがある。このとき、表示部の端部にスクロールバーが表示されている場合には、親指の指先以外の部分がスクロールバーに接触してしまい、使用者の意に反するスクロール処理が行われてしまうことになる。
【０００６】
本発明の目的は、使用者が操作入力装置を持っている手の親指でタッチパネルを操作する際の誤操作を抑制することが可能な操作入力装置及び操作入力方法を提供することにある。
【課題を解決するための手段】
【０００７】
本発明の一の局面に係る操作入力装置は、表示部と、タッチパネルと、表示制御部と、操作態様判別部と、を備える。前記タッチパネルは、前記表示部上に設けられている。前記表示制御部は、表示対象とスクロールバーとを前記表示部に表示し、前記タッチパネルを介した前記スクロールバーに対するタッチ操作に応じて前記表示対象の表示範囲を移動させる。前記操作態様判別部は、使用者による操作態様が、前記タッチパネルを右親指で操作する右親指操作態様か、前記タッチパネルを左親指で操作する左親指操作態様かを判別する。前記表示制御部は、前記操作態様判別部によって前記操作態様が前記右親指操作態様であると判定されるときには前記スクロールバーを前記表示対象の左側に表示し、前記操作態様判別部によって前記操作態様が前記左親指操作態様であると判定されるときは前記スクロールバーを前記表示対象の右側に表示する。
【０００８】
本発明の他の局面に係る操作入力方法は、表示制御ステップと、操作態様判別ステップと、を備える。前記表示制御ステップでは、表示対象とスクロールバーとを表示部に表示し、前記表示部上に設けられたタッチパネルを介した前記スクロールバーに対するタッチ操作に応じて前記表示対象の表示範囲を移動させる。前記操作態様判別ステップでは、使用者による操作態様が、前記タッチパネルを右親指で操作する右親指操作態様か、前記タッチパネルを左親指で操作する左親指操作態様かを判別する。前記表示制御ステップでは、前記操作態様判別ステップにおいて前記操作態様が前記右親指操作態様であると判定されるときには前記スクロールバーを前記表示対象の左側に表示し、前記操作態様判別ステップにおいて前記操作態様が前記左親指操作態様であると判定されるときは前記スクロールバーを前記表示対象の右側に表示する。
【発明の効果】
【０００９】
本発明によれば、使用者が操作入力装置を持っている手の親指でタッチパネルを操作する際の誤操作を抑制することが可能な操作入力装置及び操作入力方法が提供される。
【図面の簡単な説明】
【００１０】
【図１】図１は、本発明の実施形態に係る操作入力装置の外観を示す図である。
【図２】図２は、前記操作入力装置のシステム構成を示すブロック図である。
【図３】図３は、前記操作入力装置における右親指操作時の表示画像の一例を示す図である。
【図４】図４は、前記操作入力装置における左親指操作時の表示画像の一例を示す図である。
【図５】図５は、前記操作入力装置で実行される操作入力処理の手順の一例を示すフローチャートである。
【図６】図６は、前記操作入力装置における右親指操作時のタッチ範囲の一例を示す図である。
【図７】図７は、前記操作入力装置における左親指操作時のタッチ範囲の一例を示す図である。
【図８】図８は、前記操作入力装置における右親指操作時のタッチ位置の軌跡の一例を示す図である。
【図９】図９は、前記操作入力装置における左親指操作時のタッチ位置の軌跡の一例を示す図である。
【図１０】図１０は、右親指操作時の前記操作入力装置の姿勢の一例を示す図である。
【図１１】図１１は、左親指操作時の前記操作入力装置の姿勢の一例を示す図である。
【図１２】図１２は、前記操作入力装置の表示部に表示される選択画面の一例を示す図である。
【発明を実施するための形態】
【００１１】
以下添付図面を参照しながら、本発明の実施形態について説明し、本発明の理解に供する。なお、以下の実施形態は、本発明を具体化した一例であって、本発明の技術的範囲を限定する性格のものではない。
【００１２】
図１及び図２に示すように、本発明の実施形態に係る操作入力装置１は、表示部１０、タッチパネル１１、傾き検出部１２、記憶部１３、及び制御部１４などを備える。表示部１０は、例えば、液晶ディスプレーであり、ウェブページ又は文書などを表示する。
【００１３】
タッチパネル１１は、表示部１０上に設けられており、使用者の指による操作を受け付ける。タッチパネル１１は、タッチ範囲（使用者の指が接触している範囲）を検知可能なタッチパネルであって、例えば、マトリクススイッチ方式のタッチパネルであってもよいし、マルチタッチを検知可能な抵抗膜方式又は静電容量方式のタッチパネルであってもよい。複数のタッチ位置を同時に検出することが可能なタッチパネルであれば、それらのタッチ位置に基づいてタッチ範囲を検知することが可能である。
【００１４】
操作入力装置１は、使用者が操作入力装置１を持っている手の親指を使ってタッチパネル１１を操作することが可能な手持ち型の情報処理装置である。操作入力装置１は、例えば、タブレットＰＣ、スマートフォン、電子ブックリーダー又は携帯情報端末などである。
【００１５】
傾き検出部１２は、操作入力装置１の傾きを検出する。傾き検出部１２は、少なくとも操作入力装置１が右に傾いているのか左に傾いているのかを検知できるものであればよく、その種類は問わない。例えば、傾き検出部１２は、加速度センサー又はジャイロセンサーであってもよい。
【００１６】
記憶部１３は、ＥＥＰＲＯＭ（登録商標）などの不揮発性の記憶部である。記憶部１３には、制御部１４によって実行される各種の制御プログラム、及び表示部１０に表示されるスクロールバーの画像データなどが記憶される。
【００１７】
制御部１４は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００１８】
具体的に、制御部１４は、表示制御部１５、操作態様判別部１６及び操作態様設定部１７を含む。なお、制御部１４は、前記制御プログラムに従って各種の処理を実行することにより各処理部として機能する。また、制御部１４は、各処理部の一部又は複数の処理機能を実現する電子回路を備えるものであってもよい。
【００１９】
表示制御部１５は、図３に示すように、ウェブページや文書などの表示対象２０とスクロールバー３０とを表示部１０に表示し、タッチパネル１１を介したスクロールバー３０に対するタッチ操作に応じて表示対象２０の表示範囲を移動させる。
【００２０】
例えば、表示制御部１５は、通信部（図示省略）を通じてダウンロードされるウェブページのデータに基づいて表示部１０にウェブページを表示してもよい。また、表示制御部１５は、記憶部１３又は前記ＲＯＭに記憶されている文書ファイルなどに基づいて表示部１０に文書などを表示してもよい。
【００２１】
表示制御部１５は、表示対象２０が表示部１０の画面内に収まらない場合には、表示対象２０の一部を表示部１０に表示するとともに、表示対象２０の右端又は左端に沿うようにスクロールバー３０を表示する。
【００２２】
操作態様判別部１６は、使用者による操作態様が、図３に示すようにタッチパネル１１を右親指で操作する右親指操作態様か、図４に示すようにタッチパネル１１を左親指で操作する左親指操作態様かを判別する。操作態様判別部１６による操作態様の判別方法の詳細は後述する。
【００２３】
操作態様判別部１６によって使用者による操作態様が前記右親指操作態様であると判定されるときには、表示制御部１５は、図３に示すように、スクロールバー３０を表示対象２０の左側に表示する。一方、操作態様判別部１６によって使用者による操作態様が前記左親指操作態様であると判定されるときには、表示制御部１５は、図４に示すように、スクロールバー３０を表示対象２０の右側に表示する。
【００２４】
操作態様設定部１７は、前記右親指操作態様又は前記左親指操作態様のいずれかを使用者が選択する選択操作を受け付ける。
【００２５】
次に、図３〜図１２を参照しつつ、操作入力装置１の動作について説明する。
【００２６】
図３において、表示部１０の所定領域に、表示対象２０が表示されている。表示対象２０のサイズが大きい場合には、表示対象２０の一部分だけが表示される。表示制御部１５は、表示対象２０上でのスクロール操作に応じて表示対象２０の表示範囲を移動させる。前記スクロール操作は、例えば、表示対象２０上で指をタッチパネル１１に接触させたままでタッチ位置を移動させるスライド操作、又は表示対象２０上で指をはじくフリック操作などである。使用者が表示部１０の上端方向へスクロール操作すると、それに応じて、表示対象２０の表示範囲は表示対象２０の下端側へ移動する。逆に、使用者が表示部１０の下端方向へスクロール操作すると、それに応じて、表示対象２０の表示範囲は表示対象２０の上端側へ移動する。
【００２７】
図３に示すように、使用者の操作態様が前記右親指操作態様である場合には、表示対象２０の左側にスクロールバー３０が表示される。一方、図４に示すように、使用者の操作態様が前記左親指操作態様である場合には、表示対象２０の右側にスクロールバー３０が表示される。
【００２８】
スクロールバー３０にはスライダー３０Ａが含まれており、スライダー３０Ａの位置及び大きさが、表示対象２０全体における現在の表示範囲を表している。スクロールバー３０上の任意の位置を使用者がタッチすると、当該タッチされた位置にスライダー３０Ａが移動するとともに、当該タッチされた位置に対応する表示対象２０の領域が表示部１０に表示される。また、使用者によってスライダー３０Ａが上下方向にドラッグされても、表示対象２０の表示範囲は移動する。
【００２９】
ところで、操作入力装置１を持っている手の親指を使ってタッチパネル１１を操作する場合には、親指の指先だけでなく、より付け根側の部分までもがタッチパネル１１に接触してしまうことがある。このとき、表示部１０の端部にスクロールバー３０が表示されている場合には、親指の指先以外の部分がスクロールバー３０に接触してしまい、使用者の意に反するスクロール処理が行われてしまうことになる。
【００３０】
これに対して、本実施形態の操作入力装置１では、表示対象２０の右側及び左側のうち、タッチパネル１１を操作する親指の付け根から遠い側にスクロールバー３０が表示される。よって、親指の指先より付け根側の部分までもがタッチパネル１１に接触してしまったとしても、スクロールバー３０にタッチしてしまうことがない。よって、本実施形態の操作入力装置１によれば、使用者が操作入力装置を持っている手の親指でタッチパネルを操作する際の誤操作を抑制することが可能である。
【００３１】
以下、図５を参照しつつ、制御部１４によって実行される表示処理の手順の一例について説明する。ここで、ステップＳ１、Ｓ２・・・は、制御部１４により実行される処理手順（ステップ）の番号を表している。なお、前記表示処理は、例えば、使用者によって表示対象２０の閲覧開始指示が入力されたことに応じて開始され、その後、閲覧終了指示が入力されたことに応じて終了される。
【００３２】
＜ステップＳ１＞
まず、ステップＳ１において、制御部１４は、表示対象２０とスクロールバー３０を表示部１０に表示する。ここでのスクロールバー３０の表示位置は、予め定められた初期位置（例えば、表示対象２０の右側）であってもよいし、前回の表示位置と同じ位置であってもよい。
【００３３】
＜ステップＳ２＞
ステップＳ２において、制御部１４は、使用者による操作態様を判別する。当該操作態様の判別方法としては、使用者による前記操作入力装置の操作状況に応じて前記操作態様を自動的に判別する方法と、前記右親指操作態様又は前記左親指操作態様のいずれかを使用者が選択する選択操作に基づいて判別する方法とが考えられる。当該判別方法の具体例については後述する。
【００３４】
＜ステップＳ３＞
ステップＳ３において、制御部１４は、ステップＳ２における判別結果に基づいて、使用者による操作態様が前記右親指操作態様であるか否かを判断する。そして、使用者による操作態様が前記右親指操作態様であると判断されると（Ｓ３：Ｙｅｓ）、処理がステップＳ４に移行する。一方、使用者による操作態様が前記右親指操作態様ではないと判断されると（Ｓ３：Ｎｏ）、処理がステップＳ５に移行する。
【００３５】
＜ステップＳ４＞
ステップＳ４において、制御部１４は、表示対象２０の左側にスクロールバー３０を表示する。なお、表示対象２０の右側にスクロールバー３０が表示されていた場合には、制御部１４は、表示対象２０の左側にスクロールバー３０を移動させる。
【００３６】
＜ステップＳ５＞
ステップＳ５において、制御部１４は、ステップＳ２における判別結果に基づいて、使用者による操作態様が前記左親指操作態様であるか否かを判断する。そして、使用者による操作態様が前記左親指操作態様であると判断されると（Ｓ５：Ｙｅｓ）、処理がステップＳ６に移行する。一方、使用者による操作態様が前記左親指操作態様ではないと判断されると（Ｓ５：Ｎｏ）、処理がステップＳ７に移行する。
【００３７】
＜ステップＳ６＞
ステップＳ６において、制御部１４は、表示対象２０の右側にスクロールバー３０を表示する。なお、表示対象２０の左側にスクロールバー３０が表示されていた場合には、制御部１４は、表示対象２０の右側にスクロールバー３０を移動させる。
【００３８】
＜ステップＳ７＞
ステップＳ７において、制御部１４は、タッチパネル１１によって検出されるタッチ位置又はタッチ範囲に基づいて、スクロールバー３０がタッチされたか否かを判断する。そして、スクロールバー３０がタッチされたと判断されると（Ｓ７：Ｙｅｓ）、処理がステップＳ８に移行する。一方、スクロールバー３０がタッチされていないと判断されると（Ｓ７：Ｎｏ）、処理がステップＳ９に移行する。
【００３９】
＜ステップＳ８＞
ステップＳ８において、制御部１４は、スクロール処理を行う。具体的には、制御部１４は、タッチパネル１１によって検出されるタッチ位置、タッチ範囲又はそれらの変化に基づいて、表示対象２０の表示範囲を移動させる。
【００４０】
＜ステップＳ９＞
ステップＳ９において、制御部１４は、タッチパネル１１によって検出されるタッチ位置又はタッチ範囲に基づいて、表示対象２０上でスクロール操作が行われたか否かを判断する。そして、表示対象２０上でスクロール操作が行われたと判断されると（Ｓ９：Ｙｅｓ）、処理がステップＳ１０に移行する。一方、表示対象２０上でスクロール操作が行われていないと判断されると（Ｓ９：Ｎｏ）、処理がステップＳ１１に移行する。
【００４１】
＜ステップＳ１０＞
ステップＳ１０において、制御部１４は、スクロール処理を行う。具体的には、制御部１４は、表示対象２０上で行われたスクロール操作に基づいて、表示対象２０の表示範囲を移動させる。
【００４２】
＜ステップＳ１１＞
ステップＳ１１において、制御部１４は、使用者から閲覧終了指示が入力されたか否かを判断する。そして、閲覧終了指示が入力されたと判断されると（Ｓ１１：Ｙｅｓ）、前記表示処理を終了する。一方、閲覧終了指示が入力されていないと判断されると（Ｓ１１：Ｎｏ）、処理がステップＳ２に戻る。
【００４３】
なお、以上のステップＳ１，Ｓ３〜Ｓ１１の処理（表示制御ステップ）は、制御部１４の表示制御部１５によって実行される。また、ステップＳ２の処理（操作態様判別ステップ）は、制御部１４の操作態様判別部１６によって実行される。
【００４４】
次に、前記ステップＳ２における操作態様の判別方法の具体例について説明する。
【００４５】
まず、図６及び図７を参照しつつ、第１の判別方法について説明する。第１の判別方法は、使用者による操作態様が、タッチパネル１１によって検出されるタッチ範囲４０の形状に基づいて自動的に判別される例である。具体的には、図６に示すように、タッチパネル１１によって検出されるタッチ範囲４０が右下がりの形状になっているときは、前記操作態様が前記右親指操作態様であると判別される。一方、図７に示すように、タッチパネル１１によって検出されるタッチ範囲４０が右上がりの形状になっているときは、前記操作態様が前記左親指操作態様であると判別される。
【００４６】
なお、直近の所定期間に検出されたタッチ範囲４０の形状、又は直近に検出された所定回数のタッチ範囲４０の形状に基づいて、前記操作態様が判別されてもよい。例えば、直近に検出された所定回数のタッチ範囲４０に関して、タッチ範囲４０の形状が右上がりであった比率よりも右下がりであった比率の方が大きい場合に、前記操作態様が前記右親指操作態様であると判別されてもよい。同様に、直近に検出された所定回数のタッチ範囲４０において、タッチ範囲４０の形状が右下がりであった比率よりも右上がりであった比率の方が大きい場合に、前記操作態様が前記左親指操作態様であると判別されてもよい。
【００４７】
次に、図８及び図９を参照しつつ、第２の判別方法について説明する。第２の判別方法は、使用者による操作態様が、タッチパネル１１によって検出されるタッチ位置の軌跡に基づいて自動的に判別される例である。具体的には、図８に示すように、タッチパネル１１によって検出されるスクロール操作等のタッチ位置の軌跡が左に凸になっているときは、前記操作態様が前記右親指操作態様であると判別される。一方、図９に示すように、タッチパネル１１によって検出されるスクロール操作等のタッチ位置の軌跡が右に凸になっているときは、前記操作態様が前記左親指操作態様であると判別される。
【００４８】
なお、直近の所定期間に検出されたタッチ位置の軌跡、又は直近に検出された所定回数のタッチ位置の軌跡に基づいて、前記操作態様が判別されてもよい。例えば、直近に検出された所定回数のタッチ位置の軌跡において、タッチ位置の軌跡が右に凸であった比率よりも左に凸であった比率の方が大きい場合に、前記操作態様が前記右親指操作態様であると判別されてもよい。同様に、直近に検出された所定回数のタッチ位置の軌跡において、タッチ位置の軌跡が左に凸であった比率よりも右に凸であった比率の方が大きい場合に、前記操作態様が前記左親指操作態様であると判別されてもよい。
【００４９】
なお、第２の判別方法を採用する場合には、タッチパネル１１は、タッチ範囲４０を検出可能である必要はなく、タッチ位置さえ検出可能であればよい。後述する第３の判別方法及び第４の判別方法を採用する場合も同様である。
【００５０】
次に、図１０及び図１１を参照しつつ、第３の判別方法について説明する。第３の判別方法は、使用者による操作態様が、傾き検出部１２によって検出される操作入力装置１の傾きに基づいて自動的に判別される例である。具体的には、図１０に示すように、傾き検出部１２によって検出される操作入力装置１の傾きが右上がり（すなわち、操作入力装置１の右端部が左端部よりも高い状態）になっているときは、前記操作態様が前記右親指操作態様であると判別される。一方、図１１に示すように、傾き検出部１２によって検出される操作入力装置１の傾きが左上がり（すなわち、操作入力装置１の左端部が右端部よりも高い状態）になっているときは、前記操作態様が前記左親指操作態様であると判別される。
【００５１】
なお、直近の所定期間に検出された操作入力装置１の傾きに基づいて、前記操作態様が判別されてもよい。例えば、直近の所定期間に検出された操作入力装置１の傾きにおいて、操作入力装置１の傾きが左上がりであった比率よりも右上がりであった比率の方が大きい場合に、前記操作態様が前記右親指操作態様であると判別されてもよい。同様に、直近の所定期間に検出された操作入力装置１の傾きにおいて、操作入力装置１の傾きが右上がりであった比率よりも左上がりであった比率の方が大きい場合に、前記操作態様が前記左親指操作態様であると判別されてもよい。
【００５２】
なお、使用者によっては、前記操作態様が前記右親指操作態様であるときは操作入力装置１の傾きが左上がりとなり、前記操作態様が前記左親指操作態様であるときは操作入力装置１の傾きが右上がりとなることも考えられる。よって、操作入力装置１の傾きと前記操作態様との対応関係を、使用者の癖に応じて、使用者が任意に変更できるような構成が望ましい。
【００５３】
次に、図１２を参照しつつ、第４の判別方法について説明する。第４の判別方法は、操作態様設定部１７によって、前記右親指操作態様又は前記左親指操作態様のいずれかを使用者が選択する選択操作が受け付けられて、当該選択操作に基づいて前記操作態様が判別される。
【００５４】
例えば、操作態様設定部１７は、使用者による所定の操作に応じて、図１２に示すような選択画面を表示部１０に表示する。当該選択画面において、使用者が、「右親指操作態様」、「左親指操作態様」又は「自動判別」のいずれか１つの項目を選択すると、選択された項目が記憶部１３などの不揮発性の記憶部に記憶される。そして、前記ステップＳ２では、使用者によって選択された項目に基づいて、当該前記操作態様が前記右親指操作態様か前記左親指操作態様かが判別される。
【符号の説明】
【００５５】
１  操作入力装置
１０  表示部
１１  タッチパネル
１２  傾き検出部
１３  記憶部
１４  制御部
１５  表示制御部
１６  操作態様判別部
１７  操作態様設定部
２０  表示対象
３０  スクロールバー
３０Ａ  スライダー
４０  タッチ範囲
【図１】
2017097393.tif 000003
【図２】
2017097393.tif 000004
【図３】
2017097393.tif 000005
【図４】
2017097393.tif 000006
【図５】
2017097393.tif 000007
【図６】
2017097393.tif 000008
【図７】
2017097393.tif 000009
【図８】
2017097393.tif 000010
【図９】
2017097393.tif 000011
【図１０】
2017097393.tif 000012
【図１１】
2017097393.tif 000013
【図１２】
2017097393.tif 000014